(57)【特許請求の範囲】
【請求項１】
識別情報が対応づけられた医用画像と、当該識別情報に対応する医用画像に関連する関連情報とを記憶する画像記憶部と、
前記医用画像を縮小させた縮小画像を識別する縮小用識別情報を生成する縮小画像生成部と、
前記関連情報に基づいて、前記縮小画像に対応する縮小用識別情報を含む縮小用関連情報を生成する縮小用関連情報生成部と、
前記縮小画像と、前記縮小用関連情報をネットワークを介して送信する送信部と
を備える、医用情報処理装置。
【請求項２】
前記縮小用関連情報生成部は、前記縮小用識別情報と縮小する前の前記医用画像に対応する前記識別情報とを含む前記縮小用関連情報を生成する、
請求項１に記載の医用情報処理装置。
【請求項３】
送信先の装置に応じて、前記医用画像及び前記縮小画像のいずれを送信するかを判定する判定部を更に備え、
前記送信部は、前記判定部によって前記医用画像を送信すると判定された場合に、当該医用画像の識別情報に対応づけられた関連情報を送信し、前記縮小画像を送信すると判定された場合に、当該縮小画像の縮小用識別情報に対応づけられた縮小用関連情報を送信する、
請求項２に記載の医用情報処理装置。
【請求項４】
前記送信先の装置を示す送信先情報と、当該送信先情報が示す装置に対して前記医用画像及び前記縮小画像のいずれを送信するかを示す送信先画像情報とが対応づけられた情報を記憶する送信先情報記憶部と、
操作者から前記送信先情報の入力を受け付ける受付部とを備え、
前記判定部は、前記送信先情報記憶部を参照し、前記受付部が受け付けた前記送信先情報に対応する送信先画像情報に応じて、前記医用画像及び前記縮小画像のいずれを送信するかを判定する、
請求項３に記載の医用情報処理装置。
【請求項５】
前記縮小用関連情報生成部は、前記医用画像の縮小に応じて、当該医用画像に関連する関連情報を縮小させた縮小情報を生成し、生成した縮小情報に対して前記縮小用識別情報を対応づけた情報を前記縮小用関連情報として生成する、
請求項１〜４のいずれか一つに記載の医用情報処理装置。
【請求項６】
前記縮小用関連情報生成部は、前記縮小情報の大きさが所定閾値以下である場合に、当該縮小情報を前記縮小用関連情報から削除する、
請求項５に記載の医用情報処理装置。
【請求項７】
前記縮小用関連情報生成部は、前記縮小情報の大きさが所定閾値以下である場合に、当該縮小情報の大きさが所定閾値以下である旨の情報を送信先の装置で報知させるための報知情報を、前記縮小用関連情報に更に付帯させる、
請求項５又は６に記載の医用情報処理装置。
【請求項８】
前記縮小用関連情報生成部は、前記縮小情報の大きさが所定閾値以下である場合に、当該縮小情報の大きさが所定閾値以下である旨の情報を報知する、
請求項５〜７のいずれか一つに記載の医用情報処理装置。
【請求項９】
前記縮小用関連情報生成部は、前記縮小情報の大きさが所定閾値以下である場合に、当該縮小情報の大きさが所定閾値以下である旨の情報を、前記縮小用関連情報に更に対応づけ、
前記送信部は、前記縮小情報の大きさが所定閾値以下である旨の情報が前記縮小用関連情報に対応づけられる場合に、当該縮小用関連情報を送信しない、
請求項５〜８のいずれか一つに記載の医用情報処理装置。
【請求項１０】
前記識別情報と、当該識別情報に対応する医用画像から生成される縮小画像に対応づけられる縮小用識別情報との対応付けを示す対応情報を、当該縮小画像の画像サイズごとに記憶する対応情報記憶部を更に備え、
前記縮小画像生成部は、前記医用画像から前記縮小画像を生成した場合に、前記対応情報記憶部に記憶される画像サイズごとの対応情報を参照し、当該医用画像の識別情報に対応する縮小用識別情報を当該縮小画像に対して対応付け、
前記縮小用関連情報生成部は、前記対応情報記憶部に記憶される対応情報を参照し、前記関連情報に対応づけられた識別情報を、当該識別情報に対応する縮小用識別情報に変更した縮小用関連情報を生成する、
請求項１〜９のいずれか一つに記載の医用情報処理装置。
【請求項１１】
識別情報が対応づけられた医用画像と、当該識別情報に対応する医用画像に関連する関連情報とを送信元の装置から受信し、受信した情報を所定の記憶部に格納する受信部と、
前記医用画像を縮小させた縮小画像を識別する縮小用識別情報を生成する縮小画像生成部と、
前記関連情報に基づいて、前記縮小画像に対応する縮小用識別情報を含む縮小用関連情報を生成する縮小用関連情報生成部と、
前記縮小画像と、前記縮小用関連情報をネットワークを介して送信先の装置に送信する送信部と
を備える、医用情報処理装置。
【請求項１２】
前記縮小画像生成部は、前記縮小画像に対応づけられた前記縮小用識別情報と、当該縮小画像の元の医用画像の識別情報との対応付けを示す対応情報を、当該縮小画像の画像サイズごとに所定の記憶部に格納し、
前記縮小用関連情報生成部は、前記医用画像から前記縮小画像が生成される場合に、前記所定の記憶部に記憶された当該縮小画像の画像サイズの対応情報を参照し、当該医用画像の識別情報に対応する縮小用識別情報を用いて、前記縮小用関連情報を生成する、
請求項１１に記載の医用情報処理装置。
【請求項１３】
医用情報処理装置と、Ｘ線ＣＴ装置とを含む医用情報処理システムであって、
前記医用情報処理装置は、
識別情報が対応づけられた医用画像と、当該識別情報に対応する医用画像に関連する関連情報とを記憶する画像記憶部と、
送信先の装置を示す送信先情報の入力を操作者から受け付ける受付部と、
前記受付部が受け付けた前記送信先情報を前記Ｘ線ＣＴ装置に通知して、当該送信先情報が示す装置に対して前記医用画像及び当該医用画像を縮小した縮小画像のいずれを送信させるかを問い合わせる問い合わせ部と、
前記問い合わせ部による問い合わせの結果、前記医用画像を送信する旨の情報を前記Ｘ線ＣＴ装置から受信した場合に、前記医用画像と、当該医用画像の識別情報に対応づけられた関連情報とを前記送信先情報が示す装置に送信し、前記縮小画像を送信する旨の情報を前記Ｘ線ＣＴ装置から受信した場合に、前記送信先情報が示す装置に前記縮小画像を送信させる旨の要求を前記Ｘ線ＣＴ装置に送信する第１送信部と
を備え、
前記Ｘ線ＣＴ装置は、
前記送信先情報と、前記医用画像及び前記縮小画像のいずれを送信させるかを示す送信先画像情報とが対応づけられた情報を記憶する送信先情報記憶部と、
前記医用情報処理装置から通知された前記送信先情報を受信した場合に、前記送信先情報記憶部を参照し、受信した送信先情報に対応する送信先画像情報に応じて、前記医用画像及び前記縮小画像のいずれを送信させるかを判定する判定部と、
前記判定部によって判定された判定結果を前記医用情報処理装置に応答する応答部と、
前記医用情報処理装置から送信された前記要求を受信した場合に、前記医用画像を縮小させた縮小画像を識別する縮小用識別情報を生成する縮小画像生成部と、
前記医用情報処理装置から送信された前記要求を受信した場合に、前記関連情報に基づいて、前記縮小画像に対応する縮小用識別情報を含む縮小用関連情報を生成する縮小用関連情報生成部と、
前記医用情報処理装置から送信された前記要求を受信した場合に、
前記縮小画像と、前記縮小用関連情報とをネットワークを介して前記送信先の装置に送信する第２送信部と、
を備える、医用情報処理システム。
【請求項１４】
前記医用情報処理装置において、
前記問い合わせ部は、前記問い合わせの結果、前記縮小画像を送信する旨の情報を前記Ｘ線ＣＴ装置から受信した場合に、前記医用画像の識別情報を前記Ｘ線ＣＴ装置に通知して、前記Ｘ線ＣＴ装置が前記医用画像を記憶しているか否かを前記Ｘ線ＣＴ装置に対して更に問い合わせ、
前記第１送信部は、前記Ｘ線ＣＴ装置が前記医用画像を記憶しているか否かの問い合わせの結果、前記医用画像を記憶していない旨の情報を受信した場合に、前記医用画像と、当該医用画像の識別情報に対応づけられた関連情報とを、前記Ｘ線ＣＴ装置に送信し、
前記Ｘ線ＣＴ装置において、
前記判定部は、前記医用情報処理装置から通知された識別情報を受信した場合に、前記Ｘ線ＣＴ装置が当該識別情報に対応する医用画像を記憶しているか否かを判定し、
前記応答部は、前記判定部によって前記医用画像を記憶していないと判定された場合に、前記医用画像を記憶していない旨の情報を前記医用情報処理装置に応答する、
請求項１３に記載の医用情報処理システム。
【請求項１５】
識別情報が対応づけられた医用画像と、当該識別情報に対応する医用画像に関連する関連情報とを記憶する画像記憶部と、
送信先の装置を示す送信先情報の入力を操作者から受け付ける受付部と、
前記受付部が受け付けた前記送信先情報をＸ線ＣＴ装置に通知して、当該送信先情報が示す装置に対して前記医用画像及び当該医用画像を縮小した縮小画像のいずれを送信させるかを問い合わせる問い合わせ部と、
前記問い合わせ部による問い合わせの結果、前記医用画像を送信する旨の情報を前記Ｘ線ＣＴ装置から受信した場合に、前記医用画像と、当該医用画像の識別情報に対応づけられた関連情報とを前記送信先情報が示す装置に送信し、前記縮小画像を送信する旨の情報を前記Ｘ線ＣＴ装置から受信した場合に、前記送信先情報が示す装置に前記縮小画像を送信させる旨の要求を前記Ｘ線ＣＴ装置に送信する送信部と
を備える、医用情報処理装置。
【発明の詳細な説明】
【技術分野】
【０００１】
本発明の実施形態は、医用情報処理装置及び医用情報処理システムに関する。
【背景技術】
【０００２】
医療分野においては、Ｘ線等の放射線や、超音波、核磁気共鳴等を用いて被検体内を画像化する医用画像診断装置が利用されている。また、近年では、従来の画像（医用画像）より解像度が向上した高精細画像を生成する装置も知られている。例えば、Ｘ線ＣＴ装置においては、Ｘ線を検出する検出器の空間分解能の向上により、より高精細なＣＴ画像（高精細ＣＴ画像）を生成可能な高精細ＣＴ装置が知られている。
【０００３】
医用画像診断装置によって生成された医用画像は、例えば、画像の表示に関するパラメータの調整や注釈の付与等の画像処理が行われ、保存される。この画像処理により設定された情報は、例えば、医用画像に関連する関連情報として保存される。そして、医用画像は、必要に応じて医師が利用するワークステーション等の端末に送信され、送信先で関連情報を用いて表示され、診断に利用される。しかしながら、上記の高精細画像を利用する場合、送信先の保存領域の容量や処理性能によっては高精細画像が表示できない場合があった。
【先行技術文献】
【特許文献】
【０００４】
【特許文献１】特開２０１５−６３２４号公報
【発明の概要】
【発明が解決しようとする課題】
【０００５】
本発明が解決しようとする課題は、送信先でも関連情報を用いて医用画像を表示することができる医用情報処理装置及び医用情報処理システムを提供することである。
【課題を解決するための手段】
【０００６】
実施形態の医用情報処理装置は、画像記憶部と、縮小画像生成部と、縮小用関連情報生成部と、送信部とを備える。画像記憶部は、識別情報が対応づけられた医用画像と、当該識別情報に対応する医用画像に関連する関連情報とを記憶する。縮小画像生成部は、前記医用画像を縮小させた縮小画像を識別する縮小用識別情報を生成する。縮小用関連情報生成部は、関連情報に基づいて、前記縮小画像に対応する縮小用識別情報を含む縮小用関連情報を生成する。送信部は、前記縮小画像と、前記縮小用関連情報をネットワークを介して送信する。
【図面の簡単な説明】
【０００７】
【図１】図１は、第１の実施形態に係るＸ線ＣＴ装置の構成例を示すブロック図である。
【図２】図２は、従来技術について説明するための図である。
【図３】図３は、第１の実施形態に係るコンソールの構成例を示すブロック図である。
【図４】図４は、第１の実施形態に係る送信先情報テーブルに記憶される情報の一例を示す図である。
【図５】図５は、第１の実施形態に係る対応情報テーブルに記憶される情報の一例を示す図である。
【図６】図６は、第１の実施形態に係る縮小画像生成機能の処理を説明するための図である。
【図７Ａ】図７Ａは、第１の実施形態に係る縮小用関連情報生成機能の処理を説明するための図である。
【図７Ｂ】図７Ｂは、第１の実施形態に係る縮小用関連情報生成機能の処理を説明するための図である。
【図８】図８は、第１の実施形態に係るＸ線ＣＴ装置の処理手順を示すフローチャートである。
【図９】図９は、第１の実施形態に係るＸ線ＣＴ装置の適用例を説明するための図である。
【図１０】図１０は、第２の実施形態に係る縮小用関連情報生成機能の処理を説明するための図である。
【図１１】図１１は、第３の実施形態に係るＧＷを含む医用情報処理システムの構成例を示すブロック図である。
【図１２】図１２は、第３の実施形態に係るＧＷの構成例を示すブロック図である。
【図１３】図１３は、第３の実施形態に係るＧＷの適用例を説明するための図である。
【図１４】図１４は、第４の実施形態に係る医用情報処理システムの構成例を示すブロック図である。
【図１５】図１５は、第４の実施形態に係る医用情報処理システムの処理手順を示すシーケンス図である。
【図１６】図１６は、第４の実施形態に係る医用情報処理システムの適用例を説明するための図である。
【発明を実施するための形態】
【０００８】
以下、図面を参照して、実施形態に係る医用情報処理装置及び医用情報処理システムを説明する。なお、以下の実施形態では、医用情報処理装置の一例として、Ｘ線ＣＴ（Computed  Tomography）装置について説明する。
【０００９】
（第１の実施形態）
図１は、第１の実施形態に係るＸ線ＣＴ装置１の構成例を示すブロック図である。図１に示すように、第１の実施形態に係るＸ線ＣＴ装置１は、架台１０と、寝台装置２０と、コンソール１００とを有する。
【００１０】
なお、第１の実施形態に係るＸ線ＣＴ装置１は、病院内に設置される他の装置（例えば、ワークステーションや他のモダリティ等）と院内ＬＡＮ（Local  Area  Network）により、直接的、又は間接的に相互に通信可能に接続される。また、Ｘ線ＣＴ装置１は、例えば、ＰＡＣＳ（Picture  Archiving  and  Communication  System）が導入され、各装置とＤＩＣＯＭ（Digital  Imaging  and  Communications  in  Medicine）規格に則って医用画像データ等を相互に送受信する。
【００１１】
架台１０は、被検体Ｐ（患者）にＸ線を照射し、被検体Ｐを透過したＸ線を検出して、コンソール１００に出力する装置であり、Ｘ線照射制御回路１１と、Ｘ線発生装置１２と、検出器１３と、データ収集回路（ＤＡＳ：Data  Acquisition  System）１４と、回転フレーム１５と、架台駆動回路１６とを有する。
【００１２】
回転フレーム１５は、Ｘ線発生装置１２と検出器１３とを被検体Ｐを挟んで対向するように支持し、後述する架台駆動回路１６によって被検体Ｐを中心した円軌道にて高速に回転する円環状のフレームである。
【００１３】
Ｘ線照射制御回路１１は、高電圧発生部を備え、Ｘ線管１２ａに高電圧を供給する装置であり、Ｘ線管１２ａは、Ｘ線照射制御回路１１から供給される高電圧を用いてＸ線を発生する。Ｘ線照射制御回路１１は、後述するスキャン制御回路１０３の制御により、Ｘ線管１２ａに供給する管電圧や管電流を調整することで、被検体Ｐに対して照射されるＸ線量を調整する。
【００１４】
コリメータ１２ｃは、Ｘ線の照射範囲を絞り込むためのスリットである。Ｘ線照射制御回路１１は、コリメータ１２ｃの開口度を調整することにより、Ｘ線の照射範囲（ファン角やコーン角）を調整する。架台駆動回路１６は、回転フレーム１５を回転駆動させることによって、被検体Ｐを中心とした円軌道上でＸ線発生装置１２と検出器１３とを旋回させる。
【００１５】
検出器１３は、被検体Ｐを透過したＸ線を検出する２次元アレイ型検出器（面検出器）であり、複数チャンネル分のＸ線検出素子を配してなる検出素子列が被検体Ｐの体軸方向（図１に示すＺ軸方向）に沿って複数列配列されている。
【００１６】
データ収集回路１４は、ＤＡＳであり、検出器１３が検出したＸ線の検出データから、投影データを収集する。例えば、データ収集回路１４は、検出器１３により検出されたＸ線強度分布データに対して、増幅処理やＡ／Ｄ変換処理、チャンネル間の感度補正処理等を行なって投影データを生成し、生成した投影データを後述するコンソール１００に送信する。
【００１７】
寝台装置２０は、被検体Ｐを載せる装置であり、図１に示すように、寝台駆動装置２１と、天板２２とを有する。寝台駆動装置２１は、天板２２をＺ軸方向へ移動して、被検体Ｐを回転フレーム１５内に移動させる。天板２２は、被検体Ｐが載置される板である。
【００１８】
コンソール１００は、操作者によるＸ線ＣＴ装置の操作を受け付けるとともに、架台１０によって収集された投影データを用いてＸ線ＣＴ画像データを再構成する装置である。図１に示すように、コンソール１００は、入力回路１０１と、ディスプレイ１０２と、スキャン制御回路１０３と、前処理回路１０４と、画像再構成回路１０５と、記憶回路１１０と、処理回路１２０とを有する。入力回路１０１、ディスプレイ１０２、スキャン制御回路１０３、前処理回路１０４、画像再構成回路１０５、記憶回路１１０、及び処理回路１２０は、相互に通信可能に接続される。
【００１９】
入力回路１０１は、Ｘ線ＣＴ装置１の操作者が各種指示や各種設定の入力に用いるマウスやキーボード、トラックボール、スイッチ、ボタン、ジョイスティック等を有し、操作者から受け付けた指示や設定の情報を、処理回路１２０に転送する。例えば、入力回路１０１は、操作者から、Ｘ線ＣＴ画像データの撮影条件や、Ｘ線ＣＴ画像データを再構成する際の再構成条件、Ｘ線ＣＴ画像データに対する画像処理条件等を受け付ける。
【００２０】
ディスプレイ１０２は、操作者によって参照されるモニタであり、処理回路１２０による制御のもと、Ｘ線ＣＴ画像データから生成された画像データを表示したり、入力回路１０１を介して操作者から各種指示や各種設定等を受け付けるためのＧＵＩ（Graphical  User  Interface）を表示したりする。
【００２１】
スキャン制御回路１０３は、処理回路１２０による制御のもと、Ｘ線照射制御回路１１、架台駆動回路１６、データ収集回路１４及び寝台駆動装置２１の動作を制御することで、架台１０における投影データの収集処理を制御する。
【００２２】
前処理回路１０４は、データ収集回路１４によって生成された投影データに対して、対数変換処理と、オフセット補正、感度補正及びビームハードニング補正等の補正処理とを行なって、補正済みの投影データを生成する。
【００２３】
記憶回路１１０は、前処理回路１０４により生成された投影データを記憶する。具体的には、記憶回路１１０は、前処理回路１０４によって生成された、位置決め画像の投影データ及び本撮影によって収集される診断用の投影データを記憶する。なお、記憶回路１１０は、画像記憶部の一例である。
【００２４】
画像再構成回路１０５は、記憶回路１１０が記憶する投影データを用いてＸ線ＣＴ画像データを再構成する。具体的には、画像再構成回路１０５は、位置決め画像の投影データ及び診断に用いられる画像の投影データから、Ｘ線ＣＴ画像データをそれぞれ再構成する。ここで、再構成方法としては、種々の方法があり、例えば、逆投影処理が挙げられる。なお、画像再構成回路１０５は、画像再構成部の一例である。
【００２５】
また、画像再構成回路１０５は、再構成したＸ線ＣＴ画像データや、各種画像処理により生成した画像データを記憶回路１１０に格納する。
【００２６】
処理回路１２０は、架台１０、寝台装置２０及びコンソール１００の動作を制御することによって、Ｘ線ＣＴ装置１の全体制御を行う。具体的には、処理回路１２０は、スキャン制御回路１０３を制御することで、架台１０で行なわれるＣＴスキャンを制御する。また、処理回路１２０は、画像再構成回路１０５を制御することで、コンソール１００における画像再構成処理や画像生成処理を制御する。また、処理回路１２０は、記憶回路１１０が記憶する各種画像データを、ディスプレイ１０２に表示するように制御する。
【００２７】
本実施形態においては、単一の処理回路１２０にて、以下に説明する各処理機能（図３参照）が実現されるものとして説明するが、複数の独立したプロセッサを組み合わせて処理回路を構成し、各プロセッサがプログラムを実行することにより機能を実現するものとしても構わない。
【００２８】
上記説明において用いた「プロセッサ」という文言は、例えば、ＣＰＵ（Central  Preprocess  Unit）、ＧＰＵ(Graphics  Processing  Unit)、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは記憶回路に保存されたプログラムを読み出し実行することで機能を実現する。なお、記憶回路１１０にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、各図における複数の構成要素を１つのプロセッサへ統合してその機能を実現するようにしてもよい。
【００２９】
なお、第１の実施形態に係るＸ線ＣＴ装置１は、従来の医用画像より解像度が向上した高精細画像を生成可能な装置である。例えば、Ｘ線ＣＴ装置１は、空間分解能が向上した検出器１３を備え、より高精細なＣＴ画像（以下、高精細ＣＴ画像と表記）を生成可能な高精細ＣＴ装置である。なお、高精細ＣＴ画像は、医用画像の一例である。
【００３０】
ところで、Ｘ線ＣＴ装置１にて撮影された高精細ＣＴ画像に対して、所定の画像処理等が行われ、画像に関連する関連情報が生成される場合がある。関連情報としては、例えば、画像の表示に関するパラメータや注釈を保存するＧＳＰＳ（Grayscale  Softcopy  Presentation  State）や、診断部位以外の領域をマスクする情報を含むＳｅｇｍｅｎｔａｔｉｏｎ等がある。なお、ＧＳＰＳ及びＳｅｇｍｅｎｔａｔｉｏｎは、ＤＩＣＯＭ規格に則ったデータ形式である。
【００３１】
そして、医師が高精細ＣＴ画像を用いて診断を行う場合には、高精細ＣＴ画像は、例えば、生成された関連情報とともに医師が利用するワークステーションに送信され、送信先のワークステーションで表示される。しかしながら、送信先の保存領域の容量や処理性能によっては、高精細ＣＴ画像が表示できない場合があった。
【００３２】
図２は、従来技術について説明するための図である。図２に示す例では、高精細ＣＴ画像が、高精細画像を表示可能な保存領域の容量や処理性能を備えるワークステーションＡ（以下、ＷＳ−Ａとも表記）と、高精細画像を表示可能な保存領域の容量や処理性能を備えないワークステーションＢ（以下、ＷＳ−Ｂとも表記）とに送信される場合を説明する。
【００３３】
図２に示すように、ＷＳ−Ａに高精細ＣＴ画像が送信される場合には、高精細ＣＴ画像が関連情報を用いて表示される結果、ＷＳ−Ａ側でＸ線ＣＴ装置と同様の表示が実現される。一方、ＷＳ−Ｂに高精細ＣＴ画像が送信される場合には、高精細ＣＴ画像を表示することができなかった。
【００３４】
また、ＷＳ−Ｂに送信する場合に、例えば、高精細ＣＴ画像を予め縮小し、縮小した高精細ＣＴ画像（以下、縮小ＣＴ画像と表記）を送信することが考えられる。しかしながら、この場合にも、ＷＳ−ＢではＸ線ＣＴ装置と同様の表示が実現されなかった。これは、縮小ＣＴ画像には元の高精細ＣＴ画像とは異なるＵＩＤ（unique  identification）が発行されることにより、高精細ＣＴ画像を用いて生成された関連情報と、縮小ＣＴ画像との間の対応付けができなくなってしまうからである。なお、ＵＩＤは、画像を識別する識別情報の一例であり、ＤＩＣＯＭ規格では「ＳＯＰ  Ｉｎｓｔａｎｃｅ  ＵＩＤ」とも呼ばれる。また、縮小ＣＴ画像は、高精細ＣＴ画像の解像度を低下させた画像であり、縮小画像の一例である。
【００３５】
そこで、第１の実施形態に係るＸ線ＣＴ装置１は、送信先でも関連情報を用いて縮小ＣＴ画像を表示することを可能にするために、以下に説明する各機能を備える。
【００３６】
なお、以下の実施形態では、高精細ＣＴ画像を他の装置に縮小して送信する場合を説明するが、実施形態はこれに限定されるものではない。例えば、以下の実施形態は、高精細でない通常の医用画像を縮小して送信する場合にも同様に適用可能である。
【００３７】
図３は、第１の実施形態に係るコンソール１００の構成例を示すブロック図である。図３に示すように、Ｘ線ＣＴ装置１のコンソール１００において、記憶回路１１０は、送信先情報テーブル１１１と、対応情報テーブル１１２とを記憶する。なお、図示しないが、記憶回路１１０は、上述したように、画像再構成回路１０５によって再構成される高精細ＣＴ画像の画像データや、その関連情報を記憶している。また、高精細ＣＴ画像及び関連情報には、各画像を識別するＵＩＤが対応づけられている。また、図３では、記憶回路１１０及び処理回路１２０以外の処理部（回路）の図示を省略している。
【００３８】
送信先情報テーブル１１１は、送信先の装置を示す送信先情報と、その送信先情報が示す装置に対して医用画像及び縮小画像のいずれを送信するかを示す送信先画像情報とが対応づけられた情報を記憶する。なお、送信先情報テーブル１１１は、送信先情報記憶部の一例である。
【００３９】
図４は、第１の実施形態に係る送信先情報テーブル１１１に記憶される情報の一例を示す図である。図４に示すように、送信先情報テーブル１１１は、送信先情報として、例えば、「ＷＳ−Ａ」と、「ＷＳ−Ｂ」とを記憶する。これは、ＷＳ−Ａ及びＷＳ−ＢがＸ線ＣＴ装置１から送信される高精細ＣＴ画像の送信先となり得ることを示す。また、送信先情報テーブル１１１は、送信先画像情報として、「高精細」と、「縮小」とを記憶する。この「高精細」は、対応する送信先情報が示す装置に対して高精細ＣＴ画像を送信することを示し、「縮小」は、対応する送信先情報が示す装置に対して縮小ＣＴ画像を送信することを示す。つまり、図４の送信先情報テーブル１１１は、ＷＳ−Ａに対しては高精細ＣＴ画像を送信することを記憶し、ＷＳ−Ｂに対しては縮小ＣＴ画像を送信することを記憶する。なお、送信先情報テーブル１１１は、操作者により予め登録される。
【００４０】
なお、図４は一例に過ぎない。例えば、送信先情報テーブル１１１は、他にも高精細ＣＴ画像の送信先となり得る装置があれば、その装置の情報を記憶してもよい。また、例えば、高精細ＣＴ画像及び縮小ＣＴ画像のいずれを送信するかを示す情報に限らず、例えば、画像サイズの異なる複数種類の縮小ＣＴ画像が送信される場合には、縮小ＣＴ画像の画像サイズの違いを送信先ごとに記憶してもよい。
【００４１】
対応情報テーブル１１２は、識別情報と、その識別情報に対応する医用画像から生成される縮小画像に対応づけられる縮小用識別情報との対応付けを示す対応情報を記憶する。なお、この対応情報テーブル１１２は、高精細ＣＴ画像の画像データのプライベートタグに格納されていてもよいし、高精細ＣＴ画像の関連情報のプライベートタグに格納されていてもよい。なお、対応情報テーブル１１２は、対応情報記憶部の一例である。
【００４２】
図５は、第１の実施形態に係る対応情報テーブル１１２に記憶される情報の一例を示す図である。図５に示すように、対応情報テーブル１１２は、高精細ＣＴ画像のＵＩＤと、縮小ＣＴ画像のＵＩＤとの対応付けを示す対応情報を記憶する。例えば、対応情報テーブル１１２は、高精細ＣＴ画像のＵＩＤ「１」と、縮小ＣＴ画像のＵＩＤ「１’」とが対応づけられた対応情報を記憶する。これは、ＵＩＤ「１」の高精細ＣＴ画像を縮小して生成される縮小ＣＴ画像のＵＩＤが「１’」であることを示す。また、例えば、対応情報テーブル１１２は、高精細ＣＴ画像のＵＩＤ「２」と、縮小ＣＴ画像のＵＩＤ「２’」とが対応づけられた対応情報を記憶する。これは、ＵＩＤ「２」の高精細ＣＴ画像を縮小して生成される縮小ＣＴ画像のＵＩＤが「２’」であることを示す。また、例えば、対応情報テーブル１１２は、高精細ＣＴ画像のＵＩＤ「３」と、縮小ＣＴ画像のＵＩＤ「３’」とが対応づけられた対応情報を記憶する。これは、ＵＩＤ「３」の高精細ＣＴ画像を縮小して生成される縮小ＣＴ画像のＵＩＤが「３’」であることを示す。なお、対応情報テーブル１１２は、操作者により予め登録される。なお、縮小ＣＴ画像のＵＩＤは、縮小用識別情報の一例である。
【００４３】
なお、図５は一例に過ぎない。例えば、対応情報テーブル１１２は、高精細ＣＴ画像から縮小ＣＴ画像が生成されるタイミングで、生成された縮小ＣＴ画像のＵＩＤが元の高精細ＣＴ画像のＵＩＤと対応づけられて登録されても良い。また、例えば、画像サイズの異なる複数種類の縮小ＣＴ画像が送信される場合には、高精細ＣＴ画像のＵＩＤと縮小ＣＴ画像のＵＩＤとの対応情報を、縮小ＣＴ画像の画像サイズごとに記憶してもよい。
【００４４】
図３の説明に戻る。Ｘ線ＣＴ装置１のコンソール１００において、処理回路１２０は、受付機能１２１と、取得機能１２２と、判定機能１２３と、縮小画像生成機能１２４と、縮小用関連情報生成機能１２５と、送信機能１２６とを実行する。ここで、例えば、図３に示す処理回路１２０の構成要素である受付機能１２１、取得機能１２２、判定機能１２３、縮小画像生成機能１２４、縮小用関連情報生成機能１２５、及び送信機能１２６が実行する各処理機能は、コンピュータによって実行可能なプログラムの形態で記憶回路１１０に記録されている。処理回路１２０は、各プログラムを記憶回路１１０から読み出し、実行することで各プログラムに対応する機能を実現するプロセッサである。換言すると、各プログラムを読み出した状態の処理回路１２０は、図３の処理回路１２０内に示された各機能を有することとなる。
【００４５】
受付機能１２１は、操作者から送信先情報の入力を受け付ける。例えば、受付機能１２１は、送信先の装置である送信先情報の指定と、送信対象である画像の指定と、当該画像の関連情報の指定とを含む送信指示を受け付ける。具体的には、受付機能１２１は、ＵＩＤ「１」から「Ｎ」までの高精細ＣＴ画像とその高精細ＣＴ画像の関連情報とを、ＷＳ−Ａに送信する旨の送信指示を操作者から受け付ける。なお、受付機能１２１は、受付部の一例である。
【００４６】
なお、上記の説明は一例に過ぎない。例えば、送信指示には、送信対象である画像の指定、及び、関連情報の指定の少なくともいずれかが含まれていればよい。いずれかが含まれていれば、例えば、対応するＵＩＤを参照することで、送信対象である画像とその関連情報とを送信可能である。
【００４７】
取得機能１２２は、識別情報が対応づけられた医用画像と、識別情報が対応づけられた、識別情報に対応する医用画像に関連する関連情報とを取得する。例えば、取得機能１２２は、受付機能１２１が受け付けた送信指示に含まれる画像と関連情報とを記憶回路１１０から取得する。具体的には、取得機能１２２は、ＵＩＤ「１」から「Ｎ」までの高精細ＣＴ画像とその高精細ＣＴ画像の関連情報とをＷＳ−Ａに送信する旨の送信指示が受付機能１２１によって受け付けられると、ＵＩＤ「１」から「Ｎ」までの高精細ＣＴ画像の画像データとその高精細ＣＴ画像の関連情報とを記憶回路１１０から読み出す。つまり、記憶回路１１０は、識別情報が対応づけられた医用画像と、識別情報に対応する医用画像に関連する関連情報とを記憶する。なお、取得機能１２２は、取得部の一例である。
【００４８】
判定機能１２３は、送信先の装置に応じて、医用画像及び縮小画像のいずれを送信するかを判定する。例えば、判定機能１２３は、送信先情報テーブル１１１を参照し、受付機能１２１が受け付けた送信先情報に対応する送信先画像情報に応じて、医用画像及び縮小画像のいずれを送信するかを判定する。なお、判定機能１２３は、判定部の一例である。
【００４９】
具体的には、判定機能１２３は、取得機能１２２によってＵＩＤ「１」から「Ｎ」までの高精細ＣＴ画像とその高精細ＣＴ画像の関連情報とが取得されると、送信先情報テーブル１１１を参照し、その高精細ＣＴ画像を縮小して送信するか否かを判定する。例えば、受付機能１２１が受け付けた送信先情報が「ＷＳ−Ａ」である場合には、送信先情報テーブル１１１の「ＷＳ−Ａ」に対応する送信先画像情報が「高精細」であるので、判定機能１２３は、高精細ＣＴ画像をそのまま（縮小せずに）送信すると判定する。また、例えば、受付機能１２１が受け付けた送信先情報が「ＷＳ−Ｂ」である場合には、送信先情報テーブル１１１の「ＷＳ−Ｂ」に対応する送信先画像情報が「縮小」であるので、判定機能１２３は、高精細ＣＴ画像を縮小して送信すると判定する。
【００５０】
縮小画像生成機能１２４は、医用画像を縮小させた縮小画像を識別する縮小用識別情報を生成する。例えば、縮小画像生成機能１２４は、医用画像を縮小させた縮小画像を生成し、生成した縮小画像に対して縮小画像を識別する縮小用識別情報を対応づける。例えば、縮小画像生成機能１２４は、判定機能１２３によって縮小画像を送信すると判定された場合に、取得機能１２２によって取得された高精細ＣＴ画像の画像データを縮小して、縮小ＣＴ画像の画像データを生成する。また、縮小画像生成機能１２４は、縮小ＣＴ画像を生成した場合に、対応情報テーブル１１２に記憶される対応情報を参照し、高精細ＣＴ画像のＵＩＤに対応する縮小ＣＴ画像用のＵＩＤを、縮小ＣＴ画像に対して対応付ける。なお、縮小画像生成機能１２４は、縮小画像生成部の一例である。
【００５１】
図６は、第１の実施形態に係る縮小画像生成機能１２４の処理を説明するための図である。図６に示すように、縮小画像生成機能１２４は、高精細ＣＴ画像を縮小し、縮小ＣＴ画像を生成する。ここで、元の高精細ＣＴ画像には、ＵＩＤ「１」、「２」、「３」・・・がそれぞれ対応づけられている。この場合、縮小画像生成機能１２４は、生成した縮小ＣＴ画像に対して、縮小ＣＴ画像のＵＩＤ「１’」、「２’」、「３’」・・・をそれぞれ対応づける。具体的には、縮小画像生成機能１２４は、ＵＩＤ「１」の高精細ＣＴ画像から生成された縮小ＣＴ画像に対してＵＩＤ「１’」を対応づける。また、縮小画像生成機能１２４は、ＵＩＤ「２」の高精細ＣＴ画像から生成された縮小ＣＴ画像に対してＵＩＤ「２’」を対応づける。また、縮小画像生成機能１２４は、ＵＩＤ「３」の高精細ＣＴ画像から生成された縮小ＣＴ画像に対してＵＩＤ「３’」を対応づける。
【００５２】
このように、縮小画像生成機能１２４は、ＵＩＤを対応づけた縮小画像を生成する。なお、図６の説明は一例に過ぎない。例えば、対応情報テーブル１１２に画像サイズごとの対応情報が記憶される場合には、縮小画像生成機能１２４は、その画像サイズごとの対応情報を参照し、縮小ＣＴ画像の画像サイズに応じたＵＩＤを縮小ＣＴ画像に対して対応付ける。
【００５３】
縮小用関連情報生成機能１２５は、関連情報に基づいて、縮小画像に対応する縮小用識別情報を含む縮小用関連情報を生成する。例えば、縮小用関連情報生成機能１２５は、関連情報に対応づけられた識別情報を、その識別情報に対応する医用画像から生成される縮小画像に対応づけられる縮小用識別情報に変更した縮小用関連情報を生成する。例えば、縮小用関連情報生成機能１２５は、判定機能１２３によって縮小画像を送信すると判定された場合に、取得機能１２２によって取得された高精細ＣＴ画像の関連情報から、その高精細ＣＴ画像から生成される縮小ＣＴ画像の関連情報である縮小用関連情報を生成する。なお、縮小用関連情報生成機能１２５は、縮小用関連情報生成部の一例である。
【００５４】
図７Ａ及び図７Ｂは、第１の実施形態に係る縮小用関連情報生成機能１２５の処理を説明するための図である。図７Ａには、高精細ＣＴ画像用のＳｅｇｍｅｎｔａｔｉｏｎから縮小ＣＴ画像用のＳｅｇｍｅｎｔａｔｉｏｎが生成される場合を例示し、図７Ｂには、高精細ＣＴ画像用のＧＳＰＳから縮小ＣＴ画像用のＧＳＰＳが生成される場合を例示する。
【００５５】
図７Ａの左図において、高精細ＣＴ画像のオブジェクト（マスク）の情報は、例えば、高精細ＣＴ画像の各ピクセルをマスクするか否かを示す情報であり、そのプライベートタグ（図７Ａの網掛け領域）に高精細ＣＴ画像のＵＩＤが対応づけられている。そこで、縮小用関連情報生成機能１２５は、高精細ＣＴ画像が縮小された画像サイズに応じて、オブジェクト（マスク）の情報を縮小（座標変換）する。そして、縮小用関連情報生成機能１２５は、対応情報テーブル１１２に記憶される対応情報を参照し、高精細ＣＴ画像のＵＩＤに対応する縮小ＣＴ画像用のＵＩＤを取得する。そして、縮小用関連情報生成機能１２５は、縮小したオブジェクト（マスク）の情報に対し、対応情報から取得した縮小ＣＴ画像用のＵＩＤを対応づけることで、縮小ＣＴ画像用のＳｅｇｍｅｎｔａｔｉｏｎを生成する（図７Ａの右図）。
【００５６】
図７Ｂの左図において、高精細ＣＴ画像のアノテーションの情報は、例えば、高精細ＣＴ画像上の所定の位置に注釈コメントや関心領域（ＲＯＩ）を表示する情報であり、そのプライベートタグ（図７Ｂの網掛け領域）に高精細ＣＴ画像のＵＩＤが対応づけられている。そこで、縮小用関連情報生成機能１２５は、高精細ＣＴ画像が縮小された画像サイズに応じて、アノテーションの情報を縮小（座標変換）する。そして、縮小用関連情報生成機能１２５は、対応情報テーブル１１２に記憶される対応情報を参照し、高精細ＣＴ画像のＵＩＤに対応する縮小ＣＴ画像用のＵＩＤを取得する。そして、縮小用関連情報生成機能１２５は、縮小したアノテーションの情報に対し、対応情報から取得した縮小ＣＴ画像のＵＩＤを対応づけることで、縮小ＣＴ画像用のＧＳＰＳを生成する（図７Ｂの右図）。
【００５７】
このように、縮小用関連情報生成機能１２５は、取得機能１２２によって取得された関連情報を、縮小画像生成機能１２４による高精細ＣＴ画像の縮小に応じて縮小する。言い換えると、縮小用関連情報生成機能１２５は、縮小用識別情報と縮小する前の医用画像に対応する識別情報とを含む縮小用関連情報を生成する。なお、図７Ａ及び図７Ｂは一例に過ぎない。例えば、関連情報に含まれる情報が座標変換の必要ない情報であれば、その関連情報に対して縮小ＣＴ画像のＵＩＤを対応づけて、縮小ＣＴ画像用の関連情報を生成しても良い。
【００５８】
送信機能１２６は、縮小画像と、縮小用関連情報をネットワークを介して送信する。例えば、送信機能１２６は、医用画像を送信する場合に、医用画像の識別情報に対応づけられた関連情報を送信し、縮小画像を送信する場合に、縮小画像の縮小用識別情報に対応づけられた縮小用関連情報を送信する。例えば、送信機能１２６は、判定機能１２３によって医用画像を送信すると判定された場合に、医用画像の識別情報に対応づけられた関連情報を送信し、縮小画像を送信すると判定された場合に、縮小画像の縮小用識別情報に対応づけられた縮小用関連情報を送信する。なお、送信機能１２６は、送信部の一例である。
【００５９】
具体的には、送信機能１２６は、判定機能１２３によって高精細ＣＴ画像を送信すると判定された場合には、高精細ＣＴ画像と、その高精細ＣＴ画像の関連情報とを、送信指示に含まれる送信先情報が示す送信先の装置に送信する。また、送信機能１２６は、判定機能１２３によって縮小ＣＴ画像を送信すると判定された場合には、縮小ＣＴ画像と、その縮小ＣＴ画像の縮小用関連情報とを、送信指示に含まれる送信先情報が示す送信先の装置に送信する。
【００６０】
図８は、第１の実施形態に係るＸ線ＣＴ装置１の処理手順を示すフローチャートである。図８に示す処理手順は、例えば、送信指示を操作者から受け付けることにより開始される。
【００６１】
ステップＳ１０１において、受付機能１２１は、送信指示を受け付けたか否かを判定する。例えば、受付機能１２１は、送信指示を操作者から受け付けると、ステップＳ１０２以降の処理を開始する。なお、ステップＳ１０１が否定される場合には、受付機能１２１は、ステップＳ１０２以降の処理を開始せず、待機状態である。
【００６２】
ステップＳ１０１が肯定されると、ステップＳ１０２において、取得機能１２２は、高精細ＣＴ画像及びその関連情報を記憶回路１１０から取得する。例えば、取得機能１２２は、ＵＩＤ「１」から「Ｎ」までの高精細ＣＴ画像とその高精細ＣＴ画像の関連情報とをＷＳ−Ａに送信する旨の送信指示が受付機能１２１によって受け付けられると、ＵＩＤ「１」から「Ｎ」までの高精細ＣＴ画像の画像データとその高精細ＣＴ画像の関連情報とを記憶回路１１０から読み出す。
【００６３】
ステップＳ１０３において、判定機能１２３は、高精細ＣＴ画像を縮小して送信するか否かを判定する。例えば、判定機能１２３は、送信先情報テーブル１１１を参照し、送信先の装置に応じて、高精細ＣＴ画像を縮小して送信するか否かを判定する。
【００６４】
ステップＳ１０３が肯定されると、ステップＳ１０４において、縮小画像生成機能１２４は、縮小ＣＴ画像を生成する。例えば、縮小画像生成機能１２４は、ＵＩＤ「１」、「２」、「３」・・・が対応づけられた高精細ＣＴ画像をそれぞれ縮小し、ＵＩＤ「１’」、「２’」、「３’」・・・が対応づけられた縮小ＣＴ画像を生成する。
【００６５】
ステップＳ１０５において、縮小用関連情報生成機能１２５は、縮小用関連情報を生成する。例えば、縮小用関連情報生成機能１２５は、取得機能１２２によって取得された関連情報を、縮小画像生成機能１２４による高精細ＣＴ画像の縮小に応じて縮小し、元の高精細ＣＴ画像のＵＩＤを対応づけた縮小用関連情報を生成する。
【００６６】
ステップＳ１０６において、送信機能１２６は、縮小ＣＴ画像及び縮小用関連情報を送信する。例えば、送信機能１２６は、縮小画像生成機能１２４によって生成された縮小ＣＴ画像と、縮小用関連情報生成機能１２５によって生成された縮小用関連情報とを、送信先情報が示す送信先の装置に送信する。
【００６７】
一方、ステップＳ１０３が否定されると、ステップＳ１０７において、送信機能１２６は、高精細ＣＴ画像及び関連情報を送信する。例えば、送信機能１２６は、取得機能１２２によって取得された高精細ＣＴ画像及び関連情報を、送信先情報が示す送信先の装置に送信する。
【００６８】
なお、図８は一例に過ぎない。例えば、上記の処理手順は、必ずしも上述した順序で実行されなくてもよい。例えば、上記のステップＳ１０２の処理は、ステップＳ１０３の処理の後に実行されてもよい。また、例えば、予め縮小ＣＴ画像及び縮小用関連情報を生成しておき、記憶回路１１０等に記憶しておくことで、ステップＳ１０４及びステップＳ１０５の処理は省略可能である。
【００６９】
上述したように、第１の実施形態に係るＸ線ＣＴ装置１において、取得機能１２２は、識別情報が対応づけられた医用画像と、識別情報が対応づけられた、識別情報に対応する医用画像に関連する関連情報とを取得する。縮小画像生成機能１２４は、医用画像を縮小させた縮小画像を生成し、生成した縮小画像に対して縮小画像を識別する縮小用識別情報を対応づける。縮小用関連情報生成機能１２５は、関連情報に対応づけられた識別情報を、識別情報に対応する医用画像から生成される縮小画像に対応づけられる縮小用識別情報に変更した縮小用関連情報を生成する。送信機能１２６は、医用画像を送信する場合に、医用画像の識別情報に対応づけられた関連情報を送信し、縮小画像を送信する場合に、縮小画像の縮小用識別情報に対応づけられた縮小用関連情報を送信する。このため、第１の実施形態に係るＸ線ＣＴ装置１は、送信先でも関連情報を用いて医用画像を表示することができる。
【００７０】
図９は、第１の実施形態に係るＸ線ＣＴ装置１の適用例を説明するための図である。図９において、Ｘ線ＣＴ装置１は、高精細ＣＴ画像及びその関連情報を記憶している。また、ＷＳ−Ａは、高精細ＣＴ画像を表示可能な保存領域の容量や処理性能を備える装置であり、ＷＳ−Ｂは、高精細ＣＴ画像を表示可能な保存領域の容量や処理性能を備えない装置である。
【００７１】
ここで、Ｘ線ＣＴ装置１は、ＷＳ−Ａに対して高精細ＣＴ画像及び関連情報を送信する旨の送信指示を操作者から受け付けると、高精細ＣＴ画像及び関連情報をそのまま（縮小せずに）送信する。この結果、ＷＳ−Ａにおいて、高精細ＣＴ画像が関連情報を用いて表示される。
【００７２】
一方、ＷＳ−Ｂに対して高精細ＣＴ画像及び関連情報を送信する旨の送信指示を操作者から受け付けると、Ｘ線ＣＴ装置１は、縮小ＣＴ画像及び縮小用関連情報を生成して送信する。ここで、縮小用関連情報には縮小ＣＴ画像のＵＩＤが対応づけられている。このため、ＷＳ−Ｂにおいて、画像の解像度が低下していることを除き、Ｘ線ＣＴ装置１での表示と同様の表示が実現可能となる。
【００７３】
このように、第１の実施形態に係るＸ線ＣＴ装置１は、医用画像を縮小した縮小画像が送信される場合に、送信先における縮小画像と元の医用画像に関連する関連情報との対応付け（リンク）を確保することができる。これにより、Ｘ線ＣＴ装置１は、送信先でも関連情報を用いて縮小画像を表示することができる。
【００７４】
また、例えば、Ｘ線ＣＴ装置１は、送信先の装置に応じて、縮小して送信するか否かを判定する。このため、操作者が送信先の装置を指定するだけで、Ｘ線ＣＴ装置１は、縮小して送信するか否かを自動的に判定することができる。
【００７５】
（第２の実施形態）
第１の実施形態では、関連情報についても高精細ＣＴ画像とともに縮小して送信する場合を説明したが、縮小に伴って関連情報の内容がほとんど表示されなくなってしまう場合がある。例えば、高精細ＣＴ画像上に小さなＲＯＩを表示するＧＳＰＳは、縮小によりそのＲＯＩが更に小さくなってしまい、縮小画像では閲覧できない程度に潰れてしまう場合がある。そこで、第２の実施形態では、縮小画像上で潰れてしまう情報に対する処理について説明する。
【００７６】
第２の実施形態に係るＸ線ＣＴ装置１は、図１及び図３に示した構成と同様の構成を備え、縮小用関連情報生成機能１２５及び送信機能１２６の処理の一部が相違する。そこで、第２の実施形態では、第１の実施形態と相違する点を中心に説明することとし、第１の実施形態において説明した構成と同様の機能を有する点については、説明を省略する。
【００７７】
第２の実施形態に係る縮小用関連情報生成機能１２５は、医用画像の縮小に応じて、その医用画像に関連する関連情報を縮小させた縮小情報を生成し、生成した縮小情報に対して縮小用識別情報を対応づけた情報を、縮小用関連情報として生成する。そして、縮小用関連情報生成機能１２５は、生成した縮小情報の大きさを算出し、算出した大きさが所定閾値以下である場合に、所定の処理を実行する。
【００７８】
図１０は、第２の実施形態に係る縮小用関連情報生成機能１２５の処理を説明するための図である。図１０には、１０２４×１０２４の解像度の高精細ＣＴ画像から、５１２×５１２の解像度の縮小ＣＴ画像が生成される場合を例示する。また、高精細ＣＴ画像には、ＲＯＩ３０〜３２を表示するアノテーション（関連情報）が生成されており、例えば、これらのＲＯＩ３０〜３２の座標がアノテーションのプライベートタグに格納されている。
【００７９】
図１０に示すように、縮小用関連情報生成機能１２５は、アノテーションのプライベートタグに格納されている各ＲＯＩ３０〜３２の座標を用いて、縮小ＣＴ画像における各ＲＯＩ３０〜３２の大きさを算出する。ここで、縮小用関連情報生成機能１２５は、実空間における１ピッチの長さを表すピッチサイズを用いて、各ＲＯＩ３０〜３２の大きさを計算する。具体的には、縮小用関連情報生成機能１２５は、各ＲＯＩ３０〜３２の座標を用いて、ＲＯＩ３０の大きさが「５０ｍｍ×６０ｍｍ」であり、ＲＯＩ３１の大きさが「１２０ｍｍ×１８０ｍｍ」であり、ＲＯＩ３２の大きさが「５ｍｍ×５ｍｍ」であると算出する。
【００８０】
そして、縮小用関連情報生成機能１２５は、縮小された関連情報の大きさが所定閾値以下である場合に、当該関連情報を前記縮小用関連情報から削除する。一例として、「５ｍｍ×５ｍｍ」以下の大きさのＲＯＩを削除することが予め設定されている場合には、縮小用関連情報生成機能１２５は、図１０のＲＯＩ３２に対応する情報を縮小用関連情報から削除する。これにより、送信先で縮小ＣＴ画像が表示される場合には、ＲＯＩ３２が表示されなくなる。
【００８１】
このように、縮小用関連情報生成機能１２５は、生成した縮小情報の大きさを算出し、算出した大きさが所定閾値以下である場合に、縮小情報を削除する。なお、図１０は一例に過ぎない。例えば、縮小用関連情報生成機能１２５は、縮小情報の大きさが所定閾値以下である場合に、縮小情報の大きさが所定閾値以下である旨の情報を送信先の装置で報知させるための報知情報を、縮小用関連情報に更に付帯させてもよい。これによれば、例えば、関連情報が潰れてしまう場合に、送信先の装置で「縮小によりＲＯＩが一つ潰れています」といった警告テキスト等を表示したり、警告音を発したりすることが可能となる。
【００８２】
また、例えば、縮小用関連情報生成機能１２５は、縮小情報の大きさが所定閾値以下である場合に、縮小情報の大きさが所定閾値以下である旨の情報を報知する。これによれば、例えば、関連情報が潰れてしまう場合に、「縮小によりＲＯＩが一つ潰れています」といった警告テキスト等をＸ線ＣＴ装置１側で表示したり、警告音を発したりすることが可能となる。
【００８３】
また、例えば、縮小用関連情報生成機能１２５は、縮小情報の大きさが所定閾値以下である場合に、縮小情報の大きさが所定閾値以下である旨の情報を、縮小用関連情報に更に対応づける。そして、送信機能１２６は、縮小情報の大きさが所定閾値以下である旨の情報が縮小用関連情報に対応づけられる場合に、その縮小用関連情報を送信しない。これによれば、例えば、関連情報が潰れてしまう場合に、その縮小用関連情報が送信先の装置に送信されるのを防ぐことが可能となる。
【００８４】
このように、第２の実施形態に係るＸ線ＣＴ装置１は、縮小画像を送信する場合に関連情報が潰れてしまう場合に、その旨を報知することができる。このため、Ｘ線ＣＴ装置１によれば、関連情報が潰れたまま表示されてしまい、不確実な診断が行われてしまうリスクを回避することが可能となる。
【００８５】
なお、上述した関連情報が潰れてしまう場合の処理は、適宜組み合わせて実行されても良い。また、第１の実施形態にて説明した内容は、第２の実施形態においても適用可能である。
【００８６】
（第３の実施形態）
上記の実施形態では、Ｘ線ＣＴ装置１から高精細ＣＴ画像が送信される場合を説明したが、実施形態はこれに限定されるものではない。例えば、ワークステーションから他のワークステーションへ送信される場合にも適用可能である。そこで、第３の実施形態では、ワークステーションから他のワークステーションへ送信される場合について説明する。
【００８７】
第３の実施形態では、縮小画像の送信に関する各機能は、各ワークステーションの間の通信を介在するゲートウェイ（以下、ＧＷと表記）に備えられる。すなわち、第３の実施形態では、医用情報処理装置の一例として、ＧＷについて説明する。
【００８８】
図１１は、第３の実施形態に係るＧＷ２００を含む医用情報処理システムの構成例を示すブロック図である。図１１に示すように、ＧＷ２００は、Ｘ線ＣＴ装置１と、ＷＳ−Ａと、ＷＳ−Ｂとの間の通信を介在する位置に設置される。例えば、この医用情報処理システムにおいては、ＤＩＣＯＭ規格に則って医用画像データ等が相互に送受信される。この医用情報処理システムにおいて送受信される情報は、例えば、ＤＩＣＯＭ規格のＡＥ（Application  Entity）タイトルを用いることで、ＧＷ２００を経由するように予め設定されている。
【００８９】
図１２は、第３の実施形態に係るＧＷ２００の構成例を示すブロック図である。図１２に示すように、ＧＷ２００は、記憶回路２１０と、処理回路２２０とを備える。なお、図１２では、縮小画像の送信に関する機能以外の機能（回路等）については、図示を省略している。
【００９０】
記憶回路２１０は、送信先情報テーブル１１１と、対応情報テーブル１１２とを記憶する。送信先情報テーブル１１１及び対応情報テーブル１１２は、図３に示した送信先情報テーブル１１１及び対応情報テーブル１１２と同様であるので、説明を省略する。
【００９１】
処理回路２２０は、受信機能２２１と、取得機能１２２と、判定機能１２３と、縮小画像生成機能１２４と、縮小用関連情報生成機能１２５と、送信機能１２６とを実行する。ここで、例えば、図１２に示す処理回路２２０の構成要素である受信機能２２１、取得機能１２２、判定機能１２３、縮小画像生成機能１２４、縮小用関連情報生成機能１２５、及び送信機能１２６が実行する各処理機能は、コンピュータによって実行可能なプログラムの形態で記憶回路２１０に記録されている。処理回路２２０は、各プログラムを記憶回路２１０から読み出し、実行することで各プログラムに対応する機能を実現するプロセッサである。換言すると、各プログラムを読み出した状態の処理回路２２０は、図１２の処理回路２２０内に示された各機能を有することとなる。
【００９２】
受信機能２２１は、識別情報が対応づけられた医用画像と、識別情報が対応づけられた関連情報とを送信元の装置から受信し、受信した情報を所定の記憶部に格納する。例えば、受信機能２２１は、ＷＳ−Ａの操作者からＷＳ−Ｂを宛先（送信先）とする高精細ＣＴ画像及び関連情報の送信要求を受信すると、受信した高精細ＣＴ画像及び関連情報を記憶回路２１０に格納する。なお、受信機能２２１は、受信した高精細ＣＴ画像及び関連情報を記憶回路２１０ではなく、処理回路２２０の内部メモリ等に格納してもよい。
【００９３】
なお、取得機能１２２、判定機能１２３、縮小画像生成機能１２４、縮小用関連情報生成機能１２５、及び送信機能１２６は、図３に示した取得機能１２２、判定機能１２３、縮小画像生成機能１２４、縮小用関連情報生成機能１２５、及び送信機能１２６と同様であるので、説明を省略する。
【００９４】
図１３は、第３の実施形態に係るＧＷ２００の適用例を説明するための図である。図１３において、ＷＳ−Ａは、高精細ＣＴ画像及びその関連情報を記憶している。また、ＷＳ−Ａは、高精細ＣＴ画像を表示可能な保存領域の容量や処理性能を備える装置であり、ＷＳ−Ｂは、高精細ＣＴ画像を表示可能な保存領域の容量や処理性能を備えない装置である。
【００９５】
ここで、ＧＷ２００は、ＷＳ−Ｂに対して高精細ＣＴ画像及び関連情報を送信する旨の送信要求をＷＳ−Ａから受信すると、受信した情報を記憶回路２１０に格納する。そして、処理回路２２０は、記憶回路２１０に格納した情報を用いて、縮小ＣＴ画像及び縮小用関連情報を生成し（縮小処理）、生成した縮小ＣＴ画像及び縮小用関連情報を送信先であるＷＳ−Ｂに送信する。ここで、縮小用関連情報には縮小ＣＴ画像のＵＩＤが対応づけられているため、ＷＳ−Ｂにおいて、画像の解像度が低下していることを除き、元の高精細ＣＴ画像の表示と同様の表示が実現可能となる。
【００９６】
このように、第３の実施形態に係るＧＷ２００は、医用画像を縮小した縮小画像が送信される場合に、送信先における縮小画像と元の医用画像に関連する関連情報との対応付け（リンク）を確保することができる。これにより、Ｘ線ＣＴ装置１は、送信先でも関連情報を用いて縮小画像を表示することができる。
【００９７】
なお、上記の説明に限定されるものではなく、例えば、ＧＷ２００で発行した縮小用のＵＩＤを記憶しておくことで、次回以降の縮小画像送信の際にも同じＵＩＤを発行するようにしてもよい。この場合、縮小画像生成機能１２４は、縮小画像に対応づけられた縮小用識別情報と、縮小画像の元の医用画像の識別情報との対応付けを示す対応情報を、縮小画像の画像サイズごとに所定の記憶部に格納する。そして、縮小用関連情報生成機能１２５は、医用画像から縮小画像が生成される場合に、所定の記憶部に記憶された縮小画像の画像サイズの対応情報を参照し、医用画像の識別情報に対応する縮小用識別情報を用いて、縮小用関連情報を生成する。
【００９８】
（第４の実施形態）
また、例えば、自社製ワークステーションを採用する場合には、必ずしもＧＷ２００を設置しなくとも、上述したワークステーション間における縮小画像の送信を実現することが可能である。なお、第４の実施形態において、自社製ワークステーションとは、Ｘ線ＣＴ装置の提供元（企業等）と同一の提供元により提供されるワークステーションを指す。
【００９９】
図１４は、第４の実施形態に係る医用情報処理システム３００の構成例を示すブロック図である。図１４に示すように、医用情報処理システム３００は、ワークステーション４００（自社製ＷＳ）と、Ｘ線ＣＴ装置５００とを備える。なお、図１４では、縮小画像の送信に関する機能以外の機能（回路等）については、図示を省略している。
【０１００】
図１４に示すように、ワークステーション４００は、記憶回路４１０と、処理回路４２０とを備える。ここで、記憶回路４１０は、高精細ＣＴ画像４１１を記憶する。高精細ＣＴ画像４１１は、識別情報が対応づけられた医用画像と、その識別情報が対応づけられた、その識別情報に対応する医用画像に関連する関連情報とを含む。
【０１０１】
処理回路４２０は、受付機能４２１と、問い合わせ機能４２２と、送信機能４２３とを実行する。ここで、例えば、図１４に示す処理回路４２０の構成要素である受付機能４２１、問い合わせ機能４２２、及び送信機能４２３が実行する各処理機能は、コンピュータによって実行可能なプログラムの形態で記憶回路４１０に記録されている。処理回路４２０は、各プログラムを記憶回路４１０から読み出し、実行することで各プログラムに対応する機能を実現するプロセッサである。換言すると、各プログラムを読み出した状態の処理回路４２０は、図１４の処理回路４２０内に示された各機能を有することとなる。
【０１０２】
受付機能４２１は、送信先の装置を示す送信先情報の入力を操作者から受け付ける。例えば、受付機能４２１は、送信先の装置である送信先情報の指定と、送信対象である画像の指定と、当該画像の関連情報の指定とを含む送信指示を受け付ける。
【０１０３】
問い合わせ機能４２２は、受付機能４２１が受け付けた送信先情報をＸ線ＣＴ装置５００に通知して、送信先情報が示す装置に対して医用画像及び医用画像を縮小した縮小画像のいずれを送信させるかを問い合わせる。
【０１０４】
また、問い合わせ機能４２２は、問い合わせの結果、縮小画像を送信する旨の情報をＸ線ＣＴ装置５００から受信した場合に、医用画像の識別情報をＸ線ＣＴ装置５００に通知して、Ｘ線ＣＴ装置５００が医用画像を記憶しているか否かをＸ線ＣＴ装置５００に対して更に問い合わせる。
【０１０５】
送信機能４２３は、問い合わせ機能４２２による問い合わせの結果、医用画像を送信する旨の情報をＸ線ＣＴ装置５００から受信した場合に、医用画像と、医用画像の識別情報に対応づけられた関連情報とを送信先情報が示す装置に送信する。また、送信機能４２３は、縮小画像を送信する旨の情報をＸ線ＣＴ装置５００から受信した場合に、送信先情報が示す装置に縮小画像を送信させる旨の要求をＸ線ＣＴ装置５００に送信する。
【０１０６】
また、送信機能４２３は、Ｘ線ＣＴ装置５００が医用画像を記憶しているか否かの問い合わせの結果、医用画像を記憶していない旨の情報を受信した場合に、医用画像と、医用画像の識別情報に対応づけられた関連情報とを、Ｘ線ＣＴ装置５００に送信する。
【０１０７】
Ｘ線ＣＴ装置５００は、記憶回路５１０と、処理回路５２０とを備える。ここで、記憶回路５１０は、送信先情報テーブル５１１と、対応情報テーブル５１２とを記憶する。送信先情報テーブル５１１及び対応情報テーブル５１２は、図３に示した送信先情報テーブル１１１及び対応情報テーブル１１２と同様であるので説明を省略する。
【０１０８】
処理回路５２０は、判定機能５２１と、応答機能５２２と、縮小画像生成機能５２３と、縮小用関連情報生成機能５２４と、送信機能５２５とを実行する。ここで、例えば、図１４に示す処理回路５２０の構成要素である判定機能５２１、応答機能５２２、縮小画像生成機能５２３、及び縮小用関連情報生成機能５２４が実行する各処理機能は、コンピュータによって実行可能なプログラムの形態で記憶回路５１０に記録されている。処理回路５２０は、各プログラムを記憶回路５１０から読み出し、実行することで各プログラムに対応する機能を実現するプロセッサである。換言すると、各プログラムを読み出した状態の処理回路５２０は、図１４の処理回路５２０内に示された各機能を有することとなる。
【０１０９】
判定機能５２１は、ワークステーション４００から通知された送信先情報を受信した場合に、送信先情報テーブル５１１を参照し、受信した送信先情報に対応する送信先画像情報に応じて、医用画像及び縮小画像のいずれを送信させるかを判定する。
【０１１０】
また、判定機能５２１は、ワークステーション４００から通知された識別情報を受信した場合に、Ｘ線ＣＴ装置５００が識別情報に対応する医用画像を記憶しているか否かを判定する。
【０１１１】
応答機能５２２は、判定機能５２１によって判定された判定結果をワークステーション４００に応答する。例えば、応答機能５２２は、判定結果として、医用画像及び縮小画像のいずれを送信させるかを示す情報を、ワークステーション４００に送信する。
【０１１２】
また、応答機能５２２は、判定機能５２１によって医用画像を記憶していないと判定された場合に、医用画像を記憶していない旨の情報を医用情報処理装置に応答する。
【０１１３】
縮小画像生成機能５２３は、ワークステーション４００から送信された要求を受信した場合に、医用画像を縮小させた縮小画像を生成し、生成した縮小画像に対して縮小画像を識別する縮小用識別情報を対応づける。
【０１１４】
縮小用関連情報生成機能５２４は、ワークステーション４００から送信された要求を受信した場合に、関連情報に対応づけられた識別情報を、識別情報に対応する医用画像から生成される縮小画像に対応づけられる縮小用識別情報に変更した縮小用関連情報を生成する。
【０１１５】
送信機能５２５は、ワークステーション４００から送信された要求を受信した場合に、縮小画像と、縮小画像の縮小用識別情報に対応づけられた縮小用関連情報とを送信先の装置に送信する。
【０１１６】
図１５は、第４の実施形態に係る医用情報処理システム３００の処理手順を示すシーケンス図である。図１５に示す処理手順は、例えば、送信指示を操作者から受け付けることにより開始される。
【０１１７】
ステップＳ２０１において、受付機能４２１は、送信指示を受け付けたか否かを判定する。例えば、受付機能４２１は、送信指示を操作者から受け付けると、ステップＳ２０２以降の処理を開始する。なお、ステップＳ２０１が否定される場合には、受付機能４２１は、ステップＳ２０２以降の処理を開始せず、待機状態である。
【０１１８】
ステップＳ２０１が肯定されると、ステップＳ２０２において、問い合わせ機能４２２は、縮小の要否をＸ線ＣＴ装置５００に対して問い合わせる。
【０１１９】
ステップＳ２０３において、判定機能５２１は、ワークステーション４００から通知された送信先情報を受信した場合に、送信先情報テーブル５１１を参照し、受信した送信先情報に対応する送信先画像情報に応じて、医用画像及び縮小画像のいずれを送信させるかを判定する。
【０１２０】
ステップＳ２０４において、応答機能５２２は、判定機能５２１によって判定された判定結果をワークステーション４００に応答する。
【０１２１】
ステップＳ２０５において、処理回路５２０は、高精細ＣＴ画像を縮小して送信するか否かを判定する。
【０１２２】
ステップＳ２０５が肯定されると、ステップＳ２０６において、問い合わせ機能４２２は、医用画像の識別情報をＸ線ＣＴ装置５００に通知して、Ｘ線ＣＴ装置５００が医用画像を記憶しているか否かをＸ線ＣＴ装置５００に対して更に問い合わせる。
【０１２３】
ステップＳ２０７において、判定機能５２１は、高精細ＣＴ画像の存在を判定する。例えば、判定機能５２１は、記憶回路５１０に記憶された情報を参照し、Ｘ線ＣＴ装置５００が医用画像を記憶しているか否かを判定する。
【０１２４】
ステップＳ２０８において、応答機能５２２は、判定機能５２１によって判定された判定結果を応答する。例えば、応答機能５２２は、Ｘ線ＣＴ装置５００が医用画像を記憶しているか否かの判定結果を応答する。
【０１２５】
ステップＳ２０９において、処理回路４２０は、判定結果を参照し、Ｘ線ＣＴ装置５００が医用画像を記憶しているか否かを判定する。
【０１２６】
ステップＳ２０９が否定されると、ステップＳ２１０において、送信機能４２３は、高精細ＣＴ画像及び関連情報をＸ線ＣＴ装置５００へ送信する。
【０１２７】
ステップＳ２１１において、送信機能４２３は、縮小ＣＴ画像の送信要求をＸ線ＣＴ装置５００に送信する。
【０１２８】
ステップＳ２１２において、縮小画像生成機能５２３は、縮小ＣＴ画像を生成し、縮小用関連情報生成機能５２４は、縮小用関連情報を生成する。
【０１２９】
ステップＳ２１３において、送信機能５２５は、生成された高精細ＣＴ画像及び縮小用関連情報を送信先へ送信する。
【０１３０】
ステップＳ２１４において、送信機能５２５は、送信結果をワークステーション４００へ通知する。
【０１３１】
ステップＳ２１５において、処理回路４２０は、Ｘ線ＣＴ装置５００から通知された送信結果を表示する。例えば、処理回路４２０は、送信が完了した旨の送信結果を表示する。
【０１３２】
なお、ステップＳ２０９が肯定されると、送信機能４２３は、ステップＳ２１１の処理を実行する。
【０１３３】
また、ステップＳ２０５が否定されると、ステップＳ２１６において、送信機能４２３は、高精細ＣＴ画像及び関連情報を送信先へ送信する。
【０１３４】
図１６は、第４の実施形態に係る医用情報処理システム３００の適用例を説明するための図である。図１６において、ワークステーション４００（ＷＳ−Ａ）は、高精細ＣＴ画像及びその関連情報を記憶している。また、ワークステーション４００及びＸ線ＣＴ装置５００は、高精細ＣＴ画像を表示可能な保存領域の容量や処理性能を備える装置であり、ＷＳ−Ｂは、高精細ＣＴ画像を表示可能な保存領域の容量や処理性能を備えない装置である。
【０１３５】
ここで、ワークステーション４００は、ＷＳ−Ｂに対して高精細ＣＴ画像及び関連情報を送信する旨の送信指示を操作者から受け付けると、縮小の要否をＸ線ＣＴ装置５００に問い合わせる（（１）縮小の要否を問い合わせ）。そして、ワークステーション４００は、縮小して送信する旨の判定結果をＸ線ＣＴ装置５００から受信すると、Ｘ線ＣＴ装置５００が高精細ＣＴ画像を記憶しているか否かをＸ線ＣＴ装置５００に問い合わせる（（２）ＦＩＮＤ）。この結果、Ｘ線ＣＴ装置５００が高精細ＣＴ画像を記憶していなければ、ワークステーション４００は、高精細ＣＴ画像をＸ線ＣＴ装置５００に送った上で、高精細ＣＴ画像をＷＳ−Ｂへ送信する旨の指示をＸ線ＣＴ装置５００に送る（（３）ＭＯＶＥ要求）。一方、Ｘ線ＣＴ装置５００が高精細ＣＴ画像を記憶していれば、ワークステーション４００は、高精細ＣＴ画像をＷＳ−Ｂへ送信する旨の指示をＸ線ＣＴ装置５００に送る（（３）ＭＯＶＥ要求）。そして、Ｘ線ＣＴ装置５００は、高精細ＣＴ画像及び関連情報の縮小処理を行った上で、縮小ＣＴ画像及び縮小用関連情報をＷＳ−Ｂへ送信する（（４）縮小画像を送信）。
【０１３６】
一方、ワークステーション４００は、（１）の縮小の要否の問い合わせの結果、縮小が不要であれば、高精細ＣＴ画像及び関連情報をそのまま（縮小処理を行わずに）ＷＳ−Ｂへ送信する（（２’）高精細ＣＴ画像を送信）。
【０１３７】
このように、第４の実施形態に係る医用情報処理システム３００は、自社製ワークステーションが採用される場合には、ＧＷ２００を設置しなくとも上述した縮小画像の送信を実現することが可能である。
【０１３８】
（その他の実施形態）
上述した実施形態以外にも、種々の異なる形態にて実施されてもよい。
【０１３９】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。更に、各装置にて行なわれる各処理機能は、その全部又は任意の一部が、ＣＰＵ及び当該ＣＰＵにて解析実行されるプログラムにて実現され、或いは、ワイヤードロジックによるハードウェアとして実現され得る。
【０１４０】
また、上記の実施形態において説明した各処理のうち、自動的に行なわれるものとして説明した処理の全部又は一部を手動的に行なうこともでき、或いは、手動的に行なわれるものとして説明した処理の全部又は一部を公知の方法で自動的に行なうこともできる。この他、上記文書中や図面中で示した処理手順、制御手順、具体的名称、各種のデータやパラメータを含む情報については、特記する場合を除いて任意に変更することができる。
【０１４１】
また、上記の実施形態で説明した医用画像処理方法は、予め用意された医用画像処理プログラムをパーソナルコンピュータやワークステーション等のコンピュータで実行することによって実現することができる。この医用画像処理方法は、インターネット等のネットワークを介して配布することができる。また、この医用画像処理方法は、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１４２】
以上説明した少なくともひとつの実施形態によれば、送信先でも関連情報を用いて医用画像を表示することができる。
【０１４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４４】
１      Ｘ線ＣＴ装置
１００      コンソール
１２０      処理回路
１２２      取得機能
１２４      縮小画像生成機能
１２５      縮小用関連情報生成機能
１２６      送信機能
【図１】
0006598653.tif 000002
【図２】
0006598653.tif 000003
【図３】
0006598653.tif 000004
【図４】
0006598653.tif 000005
【図５】
0006598653.tif 000006
【図６】
0006598653.tif 000007
【図７Ａ】
0006598653.tif 000008
【図７Ｂ】
0006598653.tif 000009
【図８】
0006598653.tif 000010
【図９】
0006598653.tif 000011
【図１０】
0006598653.tif 000012
【図１１】
0006598653.tif 000013
【図１２】
0006598653.tif 000014
【図１３】
0006598653.tif 000015
【図１４】
0006598653.tif 000016
【図１５】
0006598653.tif 000017
【図１６】
0006598653.tif 000018